(57)【特許請求の範囲】
【請求項１】
広告情報を含むウェブページから前記広告情報を収集する収集装置であって、
前記ウェブページを提供する複数の媒体社サーバのアクセス先が設定されたアクセス先リストの中の１つの前記アクセス先を、情報端末に送信する通信部と、
前記情報端末が前記アクセス先を用いて前記媒体社サーバにアクセスするアクセス要求に応じて、前記媒体社サーバが前記情報端末に送信する前記ウェブページを中継するとともに、前記情報端末が前記ウェブページに含まれる広告情報を広告サーバに要求する広告要求に応じて、前記広告サーバが前記情報端末に送信する広告情報を中継する中継部と、
前記広告情報を収集する収集部と
を備えることを特徴とする収集装置。
【請求項２】
請求項１記載の収集装置であって、
前記広告情報を、前記ウェブページを識別する識別子と対応付けて記憶する記憶部を備えること
を特徴とする収集装置。
【請求項３】
請求項１または２記載の収集装置であって、
前記収集部は、画像のサイズまたは画像の表示位置に基づいて前記広告情報から広告素材を抽出すること
を特徴とする収集装置。
【請求項４】
請求項１または２記載の収集装置であって、
前記広告情報は、当該広告情報を配信する前記広告サーバを識別する識別子であること
を特徴とする収集装置。
【請求項５】
収集装置が行う、広告情報を含むウェブページから前記広告情報を収集する収集方法であって、
前記収集装置は、
前記ウェブページを提供する複数の媒体社サーバのアクセス先が設定されたアクセス先リストの中の１つの前記アクセス先を、情報端末に送信するステップと、
前記情報端末が前記アクセス先を用いて前記媒体社サーバにアクセスするアクセス要求に応じて、前記媒体社サーバが前記情報端末に送信する前記ウェブページを中継するとともに、前記情報端末が前記ウェブページに含まれる広告情報を広告サーバに要求する広告要求に応じて、前記広告サーバが前記情報端末に送信する広告情報を中継するステップと、
前記広告情報を収集する収集ステップと、を行うこと
を特徴とする収集方法。
【発明の詳細な説明】
【技術分野】
【０００１】
本発明は、ウェブサーバから情報端末に提供されるウェブページに含まれるべき広告情報を収集する収集装置及び収集方法に関する。
【背景技術】
【０００２】
従来、パーソナルコンピュータなどの端末装置によってアクセスされるウェブサーバから提供されるウェブページに含まれるべき広告情報を収集する収集装置が知られている。詳細には、収集装置は、アクセス先リストに含まれるべきウェブサーバに巡回的にアクセスして、ウェブページに含まれるべき広告情報を収集する（例えば、特許文献１）。
【先行技術文献】
【特許文献】
【０００３】
【特許文献１】特開２０００−１３７７９号公報
【発明の概要】
【発明が解決しようとする課題】
【０００４】
ところで、上述した収集装置には、パーソナルコンピュータなどの情報端末と同様に、ウェブページを取得する機能（以下、ウェブページ取得機能）が実装されている。しかしながら、近年では、スマートフォンやタブレットに代表される新たな情報端末が提供されている。
【０００５】
このような環境下では、情報端末の種類に応じてウェブページが提供されるケースが想定される。このようなケースを想定すると、情報端末の種類毎のウェブページ取得機能を収集装置に実装する必要があり、収集装置の開発コストの増大が見込まれる。或いは、新たな情報端末に対応するウェブページ取得機能を収集装置に実装できないケースも考えられる。
【０００６】
従って、本発明は、上述した課題を解決するためになされたものであり、収集装置の開発コストの増大を抑制しながら、ウェブページに含まれるべき広告情報を収集する収集装置及び収集方法を提供することを目的とする。
【課題を解決するための手段】
【０００７】
第１の特徴に係る収集装置は、ウェブサーバから情報端末に提供されるウェブページに含まれるべき広告情報を収集する。収集装置は、前記情報端末がアクセスすべきウェブサーバのリストに応じて前記情報端末から前記ウェブサーバに送信されるアクセス要求を中継し、前記アクセス要求に応じて前記ウェブサーバから前記情報端末に送信されるウェブページを中継する中継部と、前記中継部によって中継されるウェブページに含まれるべき広告情報を収集する収集部とを備える。
【０００８】
第２の特徴に係る収集方法は、ウェブサーバから情報端末に提供されるウェブページに含まれるべき広告情報を収集する方法である。収集方法は、前記情報端末がアクセスすべきウェブサーバのリストに応じて前記情報端末から前記ウェブサーバに送信されるアクセス要求を中継し、前記アクセス要求に応じて前記ウェブサーバから前記情報端末に送信されるウェブページを中継するステップＡと、前記ステップＡで中継されるウェブページに含まれるべき広告情報を収集するステップＢとを備える。
【発明の効果】
【０００９】
本発明によれば、収集装置の開発コストの増大を抑制しながら、ウェブページに含まれるべき広告情報を収集することを可能とする収集装置及び収集方法を提供することができる。
【図面の簡単な説明】
【００１０】
【図１】図１は、第１実施形態に係る広告情報収集システム１００を示す図である。
【図２】図２は、第１実施形態に係る収集サーバ３０を示すブロック図である。
【図３】図３は、第１実施形態に係る収集方法を示すシーケンス図である。
【発明を実施するための形態】
【００１１】
以下において、本発明の実施形態に係る広告情報収集システムについて、図面を参照しながら説明する。なお、以下の図面の記載において、同一又は類似の部分には、同一又は類似の符号を付している。
【００１２】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１３】
［実施形態の概要］
実施形態に係る収集装置は、ウェブサーバから情報端末に提供されるウェブページに含まれるべき広告情報を収集する。収集装置は、前記情報端末がアクセスすべきウェブサーバのリストに応じて前記情報端末から前記ウェブサーバに送信されるアクセス要求を中継し、前記アクセス要求に応じて前記ウェブサーバから前記情報端末に送信されるウェブページを中継する中継部と、前記中継部によって中継されるウェブページに含まれるべき広告情報を収集する収集部とを備える。
【００１４】
実施形態では、収集装置は、情報端末とは別体として設けられており、情報端末が有するウェブページ取得機能を流用するとともに、中継部によって中継されるウェブページに含まれるべき広告情報を収集する。これによって、新たな情報端末が開発されたとしても、新たな情報端末に対応するウェブページ取得機能を収集装置に実装しなくても、ウェブページに含まれるべき広告情報を収集することができる。すなわち、収集装置の開発コストの増大を抑制しながら、ウェブページに含まれるべき広告情報を収集することができる。
【００１５】
ここで、実施形態に係る情報端末は、パーソナルコンピュータやデジタルテレビなどの端末であってもよく、スマートフォンやタブレットなどの新たな端末であってもよい。さらに、情報端末は、将来的に開発される未知の端末であってもよい。なお、情報端末は、ウェブページを閲覧する機能（言い換えると、ウェブページ取得機能）を有していればよい。
【００１６】
［第１実施形態］
（広告情報収集システム）
以下において、第１実施形態に係る広告情報収集システムについて説明する。図１は、第１実施形態に係る広告情報収集システム１００を示す図である。
【００１７】
図１に示すように、広告情報収集システム１００は、情報端末１０と、ウェブサーバ２０（媒体社サーバ２０Ａ及び広告サーバ２０Ｂ）と、収集サーバ３０と、ネットワーク４０とを有する。
【００１８】
情報端末１０は、例えば、スマートフォンに代表される携帯電話、タブレット端末などの携帯端末である。或いは、情報端末１０は、例えば、デジタルテレビなどであってもよい。具体的には、情報端末１０は、パーソナルコンピュータなどの端末装置によって閲覧可能なウェブページとは異なるウェブページを閲覧するための端末である。情報端末１０は、サードパーティクッキーＩＤの送信が禁止されている端末を含む。情報端末１０は、ウェブページを閲覧するためのアプリケーション（言い換えると、ウェブページ取得機能）を有する。
【００１９】
第１実施形態において、情報端末１０は、収集サーバ３０によって管理されるアクセス先リストに含まれるアクセス先（ウェブサーバ２０）に対してアクセス要求を送信する。具体的には、情報端末１０は、アクセス先リストに含まれるアクセス先を１つずつ順に収集サーバ３０から受信して、収集サーバ３０から受信するアクセス先（ウェブサーバ２０）に対してアクセス要求を送信してもよい。或いは、情報端末１０は、アクセス先リストを収集サーバ３０から受信して、アクセス先リストに含まれるアクセス先（ウェブサーバ２０）に対してアクセス要求を巡回的に送信してもよい。
【００２０】
なお、情報端末１０は、収集サーバ３０から受信する指示に応じて、ウェブサーバ２０にアクセスするアプリケーションを実装する。このようなアプリケーションは、収集サーバ３０から提供されてもよい。
【００２１】
ウェブサーバ２０は、様々なウェブページを提供するサーバである。具体的には、ウェブサーバ２０は、ネットワーク４０を介して、ウェブページを構成するデータ（例えば、ＨＴＭＬデータやＸＭＬデータなど）を情報端末１０に送信する。なお、ウェブページは、動画像や静止画像などによって構成されるコンテンツを含んでいてもよい。
【００２２】
詳細には、ウェブサーバ２０の一例である媒体社サーバ２０Ａは、ポータルサイトなどのウェブページを提供する。ウェブサーバ２０の一例である広告サーバ２０Ｂは、ポータルサイトなどのウェブページに含まれるべき広告情報を提供する。
【００２３】
収集サーバ３０は、ポータルサイトなどのウェブページに含まれるべき広告情報を収集する。第１実施形態において、収集サーバ３０は、情報端末１０とウェブサーバ２０との通信路上において、情報端末１０とウェブサーバ２０との間の通信を中継するプロキシ機能を有する。
【００２４】
（収集装置）
以下において、第１実施形態に係る収集装置について説明する。図２は、第１実施形態に係る収集サーバ３０を示すブロック図である。収集サーバ３０は、収集装置の一例である。なお、図２では、収集サーバ３０を構成する機能ブロックが示されている。従って、図２では、ＣＰＵやメモリなどの構成が省略されていることに留意すべきである。
【００２５】
図２に示すように、収集サーバ３０は、通信部３１と、記憶部３２と、制御部３３とを有する。
【００２６】
通信部３１は、各種情報を情報端末１０に送信する。また、通信部３１は、各種情報を情報端末１０から受信する。例えば、通信部３１は、アクセス先リストに含まれる１つのアクセス先を含むリダイレクト要求を情報端末１０に送信してもよい。或いは、通信部３１は、アクセス先リストを含むリダイレクト要求を情報端末１０に送信してもよい。
【００２７】
記憶部３２は、各種情報を記憶する。例えば、記憶部３２は、ポータルサイトなどのウェブページに含まれるべき広告情報を記憶する。
【００２８】
ここで、広告情報は、ウェブページに含まれるべき広告素材であってもよい。広告素材は、広告に関する動画像、広告に関する静止画像、又は、広告に関する文字列（文字サイズ、文字色、文字レイアウトなどの修飾情報を含めてもよい）である。或いは、広告情報は、ウェブページにおける広告素材の表示位置を特定する情報であってもよい。或いは、広告情報は、広告素材の配信元識別子（例えば、ＵＲＬ；Ｕｎｉｆｏｒｍ  Ｒｅｓｏｕｒｃｅ  Ｌｏｃａｔｏｒなど）であってもよい。なお、配信元は広告素材を配信するウェブサーバである。或いは、広告情報は、広告素材に対応付けられたリンク先を示すリンク先識別子（例えば、ＵＲＬなど）であってもよい。なお、リンク先は、広告素材に直接対応付けられたウェブサーバ、最終到達される広告情報の広告主のウェブサーバ（以下、最終到達リンク先）、又は、その到達過程で経由するウェブサーバである。或いは、広告情報は、最終到達リンク先（広告主のウェブサーバ）から提供されるウェブページのコンテンツ（以下、広告主コンテンツ）であってもよい。広告主コンテンツは、動画像、静止画像又は文字列である。
【００２９】
記憶部３２は、広告素材、リンク先識別子及び広告主コンテンツの中から選択された１以上の情報を広告情報として記憶する。また、記憶部３２は、ポータルサイトなどのウェブページを識別する識別子（例えば、ＵＲＬなど）と対応付けて広告情報を記憶してもよい。
【００３０】
第１実施形態において、記憶部３２は、広告情報を収集するために巡回的にアクセスすべきアクセス先リスト（ウェブサーバのリスト）を記憶する。アクセス先リストは、クローリングの対象とすべきウェブサーバ２０のリストである。
【００３１】
制御部３３は、収集サーバ３０を制御する。第１実施形態において、制御部３３は、情報端末１０とウェブサーバ２０との通信路上において、情報端末１０とウェブサーバ２０との間の通信を中継するプロキシ機能部（中継部）を構成する。例えば、制御部３３は、ウェブサーバ２０のリスト（アクセス先リスト）に応じて情報端末１０からウェブサーバ２０に送信されるアクセス要求を中継し、アクセス要求に応じてウェブサーバから情報端末１０に送信されるウェブページを中継する。
【００３２】
第１実施形態において、制御部３３は、ウェブサーバ２０から情報端末１０に送信されるウェブサーバ２０に含まれるべき広告情報を収集する収集部を構成する。制御部３３は、情報端末１０とウェブサーバ２０との間を中継するデータ（例えば、ＨＴＭＬ）の解析によって広告情報を収集する。ここで、広告情報は、上述したように、広告素材であってもよく、表示位置であってもよく、配信元識別子であってもよく、リンク先識別子であってもよく、広告主コンテンツであってもよい。
【００３３】
また、制御部３３は、情報端末１０とウェブサーバ２０との間の中継によって、ポータルサイトなどのウェブページを識別する識別子（例えば、ＵＲＬなど）を収集してもよい。
【００３４】
なお、広告情報のうち、広告素材について、制御部３３は、ウェブサーバ２０に含まれる情報の中から、画像のサイズに基づいて広告素材を抽出してもよい。或いは、制御部３３は、ウェブサーバ２０に含まれる情報の中から、広告素材の前後の識別子によって広告素材を抽出してもよい。或いは、制御部３３は、ウェブサーバ２０に含まれる情報の中から、画像の表示位置に基づいて広告素材を抽出してもよい。
【００３５】
（収集方法）
以下において、第１実施形態に係る収集方法について説明する。図３は、第１実施形態に係る収集方法を示すシーケンス図である。
【００３６】
図３に示すように、ステップ１０において、情報端末１０は、収集サーバ３０にアクセスする。
【００３７】
ステップ２０において、収集サーバ３０は、広告情報を収集するために巡回的にアクセスすべきアクセス先リスト（ウェブサーバ２０のリスト）に含まれる１つのアクセス先を含むリダイレクト要求を情報端末１０に送信する。
【００３８】
ステップ３０Ａ及びステップ３０Ｂにおいて、情報端末１０は、アクセス先リスト（ウェブサーバ２０のリスト）に含まれるアクセス先（ここでは、媒体社サーバ２０Ａ）に対するリダイレクト（アクセス）を行う。ここで、収集サーバ３０は、情報端末１０のリダイレクトを媒体社サーバ２０Ａに中継する。このような中継によって、収集サーバ３０は、媒体社サーバ２０Ａを識別する識別子（ＵＲＬなど）を収集することができる。
【００３９】
ステップ４０Ａ及びステップ４０Ｂにおいて、媒体社サーバ２０Ａは、ポータルサイトなどのウェブページを情報端末１０に送信する。ここで、収集サーバ３０は、ウェブページを情報端末１０に中継する。このような中継によっても、収集サーバ３０は、媒体社サーバ２０Ａを識別する識別子（ＵＲＬなど）を収集することができる。
【００４０】
ステップ５０Ａ及びステップ５０Ｂにおいて、情報端末１０は、ポータルサイトなどのウェブページに含まれるべき広告情報を要求するメッセージ（広告要求）をウェブサーバ２０（ここでは、広告サーバ２０Ｂ）に送信する。ここで、収集サーバ３０は、情報端末１０の広告要求を広告サーバ２０Ｂに中継する。このような中継によって、収集サーバ３０は、広告情報（例えば、広告素材、リンク先識別子）を収集することができる。
【００４１】
ステップ６０Ａ及びステップ６０Ｂにおいて、広告サーバ２０Ｂは、ポータルサイトなどのウェブページに含まれるべき広告情報を情報端末１０に送信する。ここで、収集サーバ３０は、広告情報を情報端末１０に中継する。このような中継によっても、収集サーバ３０は、広告情報（例えば、広告素材、リンク先識別子）を収集することができる。
【００４２】
ステップ７０において、収集サーバ３０は、ポータルサイトなどのウェブページに含まれるべき広告情報を記憶部３２に格納する。
【００４３】
なお、収集サーバ３０が広告素材を抽出する機能を有している場合には、収集サーバ３０は、抽出された広告素材を記憶部３２に格納する。一方で、収集サーバ３０が広告素材を抽出する機能を有していない場合には、収集サーバ３０は、広告素材を含む様々な情報（主として、画像情報）を記憶部３２に格納する。このようなケースでは、記憶部３２に格納された様々な情報（主として、画像情報）は他の装置に提供される。広告素材は、他の装置によって抽出される。
【００４４】
図３に示すシーケンス図では、収集サーバ３０は、アクセス先リスト（ウェブサーバ２０のリスト）に含まれる１つのアクセス先を含むリダイレクト要求を情報端末１０に送信する。しかしながら、実施形態は、これに限定されるものではない。収集サーバ３０は、アクセス先リスト（ウェブサーバ２０のリスト）を含むリダイレクト要求を情報端末１０に送信してもよい。このようなケースでは、情報端末１０は、リダイレクト要求の受信に応じて、アクセス先リストに含まれるアクセス先（ウェブサーバ２０）に対してアクセス要求を巡回的に送信する。
【００４５】
また、図３に示すシーケンス図では、収集サーバ３０が広告主コンテンツを収集するステップが省略されている。しかしながら、収集サーバ３０は、最終到達リンク先識別子を含むリダイレクト要求を情報端末１０に送信することによって、最終到達リンク先識別子に対応する広告主コンテンツを収集してもよい。
【００４６】
（作用及び効果）
第１実施形態では、収集サーバ３０は、情報端末１０とは別体として設けられており、情報端末１０が有するウェブページ取得機能を流用するとともに、中継部によって中継されるウェブページに含まれるべき広告情報を収集する。これによって、新たな情報端末が開発されたとしても、新たな情報端末に対応するウェブページ取得機能を収集サーバ３０に実装しなくても、ウェブページに含まれるべき広告情報を収集することができる。すなわち、収集サーバ３０の開発コストの増大を抑制しながら、ウェブページに含まれるべき広告情報を収集することができる。
【００４７】
本技術分野において、ウェブサーバに巡回的にアクセスする機能（クローリング機能）を有する装置は、自装置に実装されたウェブページ取得機能によってウェブサーバにアクセスすることが一般的である。
【００４８】
これに対して、第１実施形態では、情報端末１０が有するウェブページ取得機能を利用する点に着目して、敢えて、ウェブページ取得機能を収集サーバ３０に実装せずに、ウェブページに含まれるべき広告情報を収集する点が重要である。これによって、収集サーバ３０の開発コストの増大が抑制される点に留意すべきである。
【００４９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５０】
第１実施形態では、収集サーバ３０は、広告情報等の情報を収集する機能及び広告情報等の情報を格納する機能の双方を有する。しかしながら、実施形態はこれに限定されるものではない。具体的には、広告情報等の情報を収集する機能及び広告情報等の情報を格納する機能は、別々の装置（端末又はサーバ）に設けられてもよい。
【００５１】
第１実施形態では、収集サーバ３０は、広告素材、リンク先識別子及び広告主コンテンツなどの広告情報を収集する。しかしながら、実施形態は、これに限定されるものではない。具体的には、広告情報等の情報を収集する機能及び広告情報等の情報を格納する機能は、別々の装置（端末又はサーバ）に設けられてもよい。
【符号の説明】
【００５２】
１０…端末装置、２０…ウェブブラウザ、３０…収集サーバ、３１…通信部、３２…記憶部、３３…制御部、４０…ネットワーク、１００…広告情報収集システム、１３０…収集装置
【図１】
0006305599.tif 000002
【図２】
0006305599.tif 000003
【図３】
0006305599.tif 000004